(57)【要約】【課題】  表示画面を更新する時間間隔（垂直同期周波数）によって、再生される映像が異なってしまう場合があった。【解決手段】  本発明の画像処理装置１００は、表示装置に設定された表示画面を更新する時間間隔を取得し（Ｓ２０１）、取得された時間間隔に応じて、色補正処理を行うためのプロファイルを決定し（Ｓ２０２）、入力映像信号に対して、決定されたプロファイルで色補正処理を行う（Ｓ２０３）。【選択図】  図１
2010020079.tif 000002
【特許請求の範囲】
【請求項１】
映像信号に対して色補正処理を行い、当該色補正処理後の映像信号を、表示画面を更新する時間間隔を設定可能な表示装置に送信する画像処理装置であって、
前記表示画面を更新する時間間隔を取得する取得手段と、
前記取得された時間間隔に応じて、前記色補正処理を行うためのプロファイルを決定する決定手段と、
前記映像信号に対して、前記決定されたプロファイルで色補正処理を行う処理手段と
を有することを特徴とする画像処理装置。
【請求項２】
映像信号に対して色補正処理を行い、当該色補正処理後の映像信号を、表示画面を更新する時間間隔を設定可能な表示装置に送信する画像処理装置であって、
前記表示装置において設定される、表示画面を更新する時間間隔である第１の時間間隔を取得する取得手段と、
第２の時間間隔で表示画面を更新する表示装置で映像を表示させるための映像信号に対して色補正処理を行うためのプロファイルを記憶する記憶手段と、
前記第１の時間間隔と前記第２の時間間隔とが異なる場合、前記第２の時間間隔で表示画面を更新する表示装置で映像を表示させるための映像信号を変換する変換手段と、
前記変換手段により変換された映像信号に対して前記プロファイルで色補正処理し、当該色補正処理後の映像信号を、前記第１の時間間隔で表示画面を更新する表示装置に送信し、前記第１の表示映像を表示させる処理手段とを有し、
前記変換手段は、
前記第１の表示映像と
変換しない映像信号に対して前記第２の時間間隔で表示画面を更新する表示装置で表示するための前記プロファイルで色補正処理した映像を前記第２の時間間隔で表示画面を更新する表示装置で表示した場合の第２の表示映像との差分が、
変換しない映像信号に対して前記第２の時間間隔で表示画面を更新する表示装置で表示するための前記プロファイルで色補正処理した映像を前記第１の時間間隔で表示画面を更新する表示装置で表示した場合の第３の表示映像と
前記第２の表示映像との差分よりも小さくなるように映像信号を変換し、前記第１の表示映像を表示させる処理手段に、前記変換された映像信号を出力する
ことを特徴とする画像処理装置。
【請求項３】
映像信号に対して色補正処理を行い、当該色補正処理後の映像信号を、表示画面を更新する時間間隔を設定可能な表示装置に送信する画像処理装置であって、
前記表示装置において設定される、表示画面を更新する時間間隔である第１の時間間隔を取得する取得手段と、
第２の時間間隔で表示画面を更新する表示装置で映像を表示させるための第１のプロファイルを記憶する記憶手段と、
前記第１の時間間隔と前記第２の時間間隔とが異なる場合、前記第２の時間間隔で表示画面を更新する表示装置で映像を表示させるために入力された映像信号を、前記第１の時間間隔で表示画面を更新する表示装置で映像を表示させるための映像信号に変換する信号変換手段と、
前記第２の時間間隔で表示画面を更新する表示装置で映像を表示させるための第１のプロファイルを、第２の時間間隔とは異なる前記第１の時間間隔で表示画面を更新する表示装置で映像を表示させるための第２のプロファイルに変換するプロファイル変換手段と、
前記第１の時間間隔で表示画面が更新される表示装置で映像を表示させるための映像信号に対して前記第１の時間間隔で表示画面を更新する表示装置で映像を表示させるための第２のプロファイルで色補正処理を行い、当該色補正処理後の映像信号を前記第１の時間間隔で表示画面を更新する表示装置に送信し、第１の表示映像を表示させる処理手段とを有し、
前記プロファイル変換手段は、
前記第１の表示映像と
前記第２の時間間隔で表示画面が更新される表示装置で映像を表示させるための入力映像信号に対して第２の時間間隔で表示画面を更新する表示装置で表示するための第１のプロファイルで色補正処理した映像を前記第２の時間間隔で表示画面を更新する表示装置で表示した場合の第２の表示映像との差分が、
前記第２の時間間隔で表示画面が更新される表示装置で映像を表示させるための入力映像信号に対して第２の時間間隔で表示画面を更新する表示装置で映像を表示させるための第１のプロファイルで色補正処理した映像を前記第１の時間間隔で表示画面を更新する表示装置で表示した場合の第３の表示映像と
前記第２の表示映像との差分よりも小さくなるように、前記第１のプロファイルを第２のプロファイルに変換する
ことを特徴とする画像処理装置。
【請求項４】
前記取得手段は、前記表示画面を更新する時間間隔を、前記表示画面上に表示を行うために印加される電圧が閾値を超える時間間隔を計測することによって取得する
ことを特徴とする請求項１乃至３のうち、いずれか１項記載の画像処理装置。
【請求項５】
前記取得手段は、前記表示画面上における複数の表示位置について、印加される電圧が閾値を越える時間間隔を計測する
ことを特徴とする請求項４記載の画像処理装置。
【請求項６】
前記取得手段は、前記表示画面上に表示を行うために印加される電圧が閾値を超える時間間隔を複数回計測し、当該閾値を超える時間間隔のうち、最も短い時間間隔に基づいて前記表示画面を更新する時間間隔を取得する
ことを特徴とする請求項４記載の画像処理装置。
【請求項７】
前記取得手段は、前記映像信号により、前記複数の表示位置を、輝度情報に基づいて選択する
ことを特徴とする請求項５記載の画像処理装置。
【請求項８】
前記取得手段は、映像信号に含まれる第３の時間間隔を取得し、
前記変換手段は、前記第２の時間間隔と、前記第３の時間間隔とが異なる場合、映像信号を変換する
ことを特徴とする請求項２記載の画像処理装置。
【請求項９】
映像信号に対して色補正処理を行い、当該色補正処理後の映像信号を、表示画面を更新する時間間隔を設定可能な表示装置に送信する画像処理装置が行う画像処理方法であって、
前記表示画面を更新する時間間隔を取得する取得工程と、
前記取得された時間間隔に応じて、前記色補正処理を行うためのプロファイルを決定する決定工程と、
前記映像信号に対して、前記決定されたプロファイルで色補正処理を行う処理工程と
を有することを特徴とする画像処理方法。
【請求項１０】
映像信号に対して色補正処理を行い、当該色補正処理後の映像信号を、表示画面を更新する時間間隔を設定可能な表示装置に送信するコンピュータに、
前記表示画面を更新する時間間隔を取得する取得手順と、
前記取得された時間間隔に応じて、前記色補正処理を行うためのプロファイルを決定する決定手順と、
前記入力映像信号に対して、前記決定されたプロファイルで色補正処理を行う処理手順と
を実行させることを特徴とするプログラム。
【請求項１１】
映像信号に対して色補正処理を行い、当該色補正処理後の映像信号を、表示画面を更新する時間間隔を設定可能な表示装置に送信する画像処理装置が行う画像処理方法であって、
前記表示装置において設定される、表示画面を更新する時間間隔である第１の時間間隔を取得する取得工程と、
第２の時間間隔で表示画面を更新する表示装置で映像を表示させるための映像信号に対して色補正処理を行うためのプロファイルを読み出す読出工程と、
前記第１の時間間隔と前記第２の時間間隔とが異なる場合、第２の時間間隔で表示画面を更新する表示装置で映像を表示させるための映像信号を変換する変換工程と、
前記変換工程により変換された映像信号に対して前記プロファイルで色補正処理し、当該色補正処理後の映像信号を、前記第１の時間間隔で表示画面を更新する表示装置に送信し、前記第１の表示映像を表示させる処理工程とを有し、
前記変換工程は、
前記第１の表示映像と
変換しない映像信号に対して前記第２の時間間隔で表示画面が切り換えられる表示装置で表示するための前記プロファイルで色補正処理した映像を前記第２の時間間隔で表示画面が切り換えられる表示装置で表示した場合の第２の表示映像との差分が、
変換しない映像信号に対して前記第２の時間間隔で表示画面が切り換えられる表示装置で表示するための前記プロファイルで色補正処理した映像を前記第１の時間間隔で表示画面が切り換えられる表示装置で表示した場合の第３の表示映像と
前記第２の表示映像との差分よりも小さくなるように映像信号を変換し、前記第１の表示映像を表示させる処理工程に、前記変換された映像信号を出力する
ことを特徴とする画像処理方法。
【請求項１２】
映像信号に対して色補正処理を行い、当該色補正処理後の映像信号を、表示画面を更新する時間間隔を設定可能な表示装置に送信するコンピュータに、
前記表示装置において設定される、表示画面を更新する時間間隔である第１の時間間隔を取得する取得手順と、
第２の時間間隔で表示画面を更新する表示装置で映像を表示させるための映像信号に対して色補正処理を行うためのプロファイルを読み出す読出手順と、
前記第１の時間間隔と前記第２の時間間隔とが異なる場合、第２の時間間隔で表示画面を更新する表示装置で映像を表示させるための映像信号を変換する変換手順と、
前記変換手順により変換された映像信号に対して前記プロファイルで色補正処理し、当該色補正処理後の映像信号を、前記第１の時間間隔で表示画面を更新する表示装置に送信し、前記第１の表示映像を表示させる処理手順とを実行させ、
前記変換手順は、
前記第１の表示映像と
変換しない映像信号に対して前記第２の時間間隔で表示画面が切り換えられる表示装置で表示するための前記プロファイルで色補正処理した映像を前記第２の時間間隔で表示画面が切り換えられる表示装置で表示した場合の第２の表示映像との差分が、
変換しない映像信号に対して前記第２の時間間隔で表示画面が切り換えられる表示装置で表示するための前記プロファイルで色補正処理した映像を前記第１の時間間隔で表示画面が切り換えられる表示装置で表示した場合の第３の表示映像と
前記第２の表示映像との差分よりも小さくなるように映像信号を変換し、前記第１の表示映像を表示させる処理手段に、前記変換された入力映像信号を出力する
ことを特徴とするプログラム。
【請求項１３】
映像信号に対して色補正処理を行い、当該色補正処理後の映像信号を、表示画面を更新する時間間隔を設定可能な表示装置に送信する画像処理装置が行う画像処理方法であって、
前記表示装置において設定される、表示画面を更新する時間間隔である第１の時間間隔を取得する取得工程と、
第２の時間間隔で表示画面を更新する表示装置で映像を表示させるための第１のプロファイルを読み出す読出工程と、
前記第１の時間間隔と前記第２の時間間隔とが異なる場合、前記第２の時間間隔で表示画面を更新する表示装置で映像を表示させるために入力された映像信号を、前記第１の時間間隔で表示画面を更新する表示装置で映像を表示させるための映像信号に変換する信号変換工程と、
前記第２の時間間隔で表示画面を更新する表示装置で映像を表示させるための第１のプロファイルを、第２の時間間隔とは異なる前記第１の時間間隔で表示画面を更新する表示装置で映像を表示させるための第２のプロファイルに変換するプロファイル変換工程と、
前記第１の時間間隔で表示画面が更新される表示装置で映像を表示させるための映像信号に対して前記第１の時間間隔で表示画面を更新する表示装置で映像を表示させるための第２のプロファイルで色補正処理を行い、当該色補正処理後の映像信号を前記第１の時間間隔で表示画面を更新する表示装置に送信し、第１の表示映像を表示させる処理工程とを有し、
前記プロファイル変換工程は、
前記第１の表示映像と
前記第２の時間間隔で表示画面が更新される表示装置で映像を表示させるための入力映像信号に対して第２の時間間隔で表示画面を更新する表示装置で表示するための第１のプロファイルで色補正処理した映像を前記第２の時間間隔で表示画面を更新する表示装置で表示した場合の第２の表示映像との差分が、
前記第２の時間間隔で表示画面が更新される表示装置で映像を表示させるための入力映像信号に対して第２の時間間隔で表示画面を更新する表示装置で映像を表示させるための第１のプロファイルで色補正処理した映像を前記第１の時間間隔で表示画面を更新する表示装置で表示した場合の第３の表示映像と
前記第２の表示映像との差分よりも小さくなるように、前記第１のプロファイルを第２のプロファイルに変換する
ことを特徴とする画像処理方法。
【請求項１４】
映像信号に対して色補正処理を行い、当該色補正処理後の映像信号を、表示画面を更新する時間間隔を設定可能な表示装置に送信するコンピュータに、
前記表示装置において設定される、表示画面を更新する時間間隔である第１の時間間隔を取得する取得手順と、
第２の時間間隔で表示画面を更新する表示装置で映像を表示させるための第１のプロファイルを読み出す読出手順と、
前記第１の時間間隔と前記第２の時間間隔とが異なる場合、前記第２の時間間隔で表示画面を更新する表示装置で映像を表示させるために入力された映像信号を、前記第１の時間間隔で表示画面を更新する表示装置で映像を表示させるための映像信号に変換する信号変換手順と、
前記第２の時間間隔で表示画面を更新する表示装置で映像を表示させるための第１のプロファイルを、第２の時間間隔とは異なる前記第１の時間間隔で表示画面を更新する表示装置で映像を表示させるための第２のプロファイルに変換するプロファイル変換手順と、
前記第１の時間間隔で表示画面が更新される表示装置で映像を表示させるための映像信号に対して前記第１の時間間隔で表示画面を更新する表示装置で映像を表示させるための第２のプロファイルで色補正処理を行い、当該色補正処理後の映像信号を前記第１の時間間隔で表示画面を更新する表示装置に送信し、第１の表示映像を表示させる処理手順とを実行させ、
前記プロファイル変換手順は、
前記第１の表示映像と
前記第２の時間間隔で表示画面が更新される表示装置で映像を表示させるための入力映像信号に対して第２の時間間隔で表示画面を更新する表示装置で表示するための第１のプロファイルで色補正処理した映像を前記第２の時間間隔で表示画面を更新する表示装置で表示した場合の第２の表示映像との差分が、
前記第２の時間間隔で表示画面が更新される表示装置で映像を表示させるための入力映像信号に対して第２の時間間隔で表示画面を更新する表示装置で映像を表示させるための第１のプロファイルで色補正処理した映像を前記第１の時間間隔で表示画面を更新する表示装置で表示した場合の第３の表示映像と
前記第２の表示映像との差分よりも小さくなるように、前記第１のプロファイルを第２のプロファイルに変換する
ことを特徴とするプログラム。
【発明の詳細な説明】
【技術分野】
【０００１】
本発明は、垂直同期周波数（表示画面を更新する時間間隔）を設定可能な表示装置に映像を表示させるために行う画像処理方法に関するものである。
【背景技術】
【０００２】
モニタディスプレイ、インクジェットプリンタ、オフセット印刷機等の種々のデバイスは、色再現範囲が異なる。そこで、再生される映像の色がデバイスによって変化しないように管理するためのカラーマネジメントシステム（以下、ＣＭＳと記述する）がある（非特許文献１参照）。
【０００３】
ＣＭＳは、例えば、映像入力機器（例えばカメラ）から送られるＲＧＢ値やＣＭＹＫ値が、どの表示装置（例えばディスプレイ）でも同じ色として再生できるように色空間の変換を行う。
【非特許文献１】Ｂｒｕｃｅ  Ｆｒａｓｅｒ，Ｃｈｒｉｓ  Ｍｕｒｐｈｙ，Ｆｒｅｄ  Ｂｕｎｔｉｎｇ，“カラーマネジメント−理論と実践−”，株式会社  帆風，２００５年７月１日，８１〜８５頁
【発明の開示】
【発明が解決しようとする課題】
【０００４】
しかし、表示装置に設定される垂直同期周波数によって、表示映像の色や輝度が異なってしまう場合がある。
【０００５】
垂直同期周波数とは、ディスプレイが１秒間に表示画面を更新する（書き換える）回数を表している。また、垂直同期周波数は、垂直走査周波数、リフレッシュレートとも呼ばれ、単位はヘルツである。つまり、言い換えると、表示装置が表示画面を更新する時間間隔によって、表示画面の色や輝度が異なってしまう場合があった。この表示画面を更新する時間間隔は、表示装置に対して、例えば、垂直同期周波数を設定することによって変更することが可能である。
【０００６】
図９は、ＣＲＴディスプレイにおいて異なる２つの垂直同期周波数でそれぞれ同じ映像信号に応じて映像を表示させた場合に出力される輝度と階調との関係の一例を示したものである。図９のＡは、垂直同期周波数が６０Ｈｚの場合における階調ごとの輝度を示している。また、図９のＢは、垂直同期周波数が１２０Ｈｚの場合における階調ごとの輝度を示している。
【０００７】
図９に示されるように、垂直同期周波数によって、表示される映像の輝度が異なってしまう場合があった。
【０００８】
また、図１０は、図９と同様の垂直同期周波数Ａ、ＢのそれぞれでＣＲＴディスプレイにおいて同じ映像信号に応じて映像を表示させた場合に出力されるＬａｂ値を測定し、ａｂ平面に示した図である。図１０に示すように、垂直同期周波数によって、再生される映像のａｂ値が異なってしまう場合があった。
【０００９】
このように、表示装置の垂直同期周波数（表示画面を更新する時間間隔）によって再生される映像の色や輝度が異なってしまう場合があった。
【００１０】
本発明は上記の問題点に鑑みてなされたものであり、その目的は、垂直同期周波数（表示画面を更新する時間間隔）の違いによる、表示映像の違いを低減することである。
【課題を解決するための手段】
【００１１】
上記の問題点を解決するために、例えば、本発明の画像処理装置は、以下の構成を有する。即ち、映像信号に対して色補正処理を行い、当該色補正処理後の映像信号を、表示画面を更新する時間間隔を設定可能な表示装置に送信する画像処理装置であって、前記表示画面を更新する時間間隔を取得する取得手段と、前記取得された時間間隔に応じて、前記色補正処理を行うためのプロファイルを決定する決定手段と、前記映像信号に対して、前記決定されたプロファイルで色補正処理を行う処理手段とを有する。
【００１２】
また、本発明の画像処理装置は、映像信号に対して色補正処理を行い、当該色補正処理後の映像信号を、表示画面を更新する時間間隔を設定可能な表示装置に送信する画像処理装置であって、前記表示装置において設定される、表示画面を更新する時間間隔である第１の時間間隔を取得する取得手段と、第２の時間間隔で表示画面を更新する表示装置で映像を表示させるための映像信号に対して色補正処理を行うためのプロファイルを記憶する記憶手段と、前記第１の時間間隔と前記第２の時間間隔とが異なる場合、第２の時間間隔で表示画面を更新する表示装置で映像を表示させるための映像信号を変換する変換手段と、前記変換手段により変換された映像信号に対して前記プロファイルで色補正処理し、当該色補正処理後の映像信号を、前記第１の時間間隔で表示画面を更新する表示装置に送信し、前記第１の表示映像を表示させる処理手段とを有し、前記変換手段は、前記第１の表示映像と変換しない映像信号に対して前記第２の時間間隔で表示画面を更新する表示装置で表示するための前記プロファイルで色補正処理した映像を前記第２の時間間隔で表示画面を更新する表示装置で表示した場合の第２の表示映像との差分が、変換しない映像信号に対して前記第２の時間間隔で表示画面を更新する表示装置で表示するための前記プロファイルで色補正処理した映像を前記第１の時間間隔で表示画面を更新する表示装置で表示した場合の第３の表示映像と前記第２の表示映像との差分よりも小さくなるように映像信号を変換し、前記第１の表示映像を表示させる処理手段に、前記変換された映像信号を出力する。
【００１３】
また、本発明の画像処理装置は、映像信号に対して色補正処理を行い、当該色補正処理後の映像信号を、表示画面を更新する時間間隔を設定可能な表示装置に送信する画像処理装置であって、前記表示装置において設定される、表示画面を更新する時間間隔である第１の時間間隔を取得する取得手段と、第２の時間間隔で表示画面を更新する表示装置で映像を表示させるための第１のプロファイルを記憶する記憶手段と、前記第１の時間間隔と前記第２の時間間隔とが異なる場合、前記第２の時間間隔で表示画面を更新する表示装置で映像を表示させるために入力された映像信号を、前記第１の時間間隔で表示画面を更新する表示装置で映像を表示させるための映像信号に変換する信号変換手段と、前記第２の時間間隔で表示画面を更新する表示装置で映像を表示させるための第１のプロファイルを、第２の時間間隔とは異なる前記第１の時間間隔で表示画面を更新する表示装置で映像を表示させるための第２のプロファイルに変換するプロファイル変換手段と、前記第１の時間間隔で表示画面が更新される表示装置で映像を表示させるための映像信号に対して前記第１の時間間隔で表示画面を更新する表示装置で映像を表示させるための第２のプロファイルで色補正処理を行い、当該色補正処理後の映像信号を前記第１の時間間隔で表示画面を更新する表示装置に送信し、第１の表示映像を表示させる処理手段とを有し、前記プロファイル変換手段は、前記第１の表示映像と前記第２の時間間隔で表示画面が更新される表示装置で映像を表示させるための映像信号に対して第２の時間間隔で表示画面を更新する表示装置で表示するための第１のプロファイルで色補正処理した映像を前記第２の時間間隔で表示画面を更新する表示装置で表示した場合の第２の表示映像との差分が、前記第２の時間間隔で表示画面が更新される表示装置で映像を表示させるための映像信号に対して第２の時間間隔で表示画面を更新する表示装置で映像を表示させるための第１のプロファイルで色補正処理した映像を前記第１の時間間隔で表示画面を更新する表示装置で表示した場合の第３の表示映像と前記第２の表示映像との差分よりも小さくなるように、前記第１のプロファイルを第２のプロファイルに変換する。
【００１４】
また、本発明の画像処理方法は、映像信号に対して色補正処理を行い、当該色補正処理後の映像信号を、表示画面を更新する時間間隔を設定可能な表示装置に送信する画像処理装置が行う画像処理方法であって、前記表示画面を更新する時間間隔を取得する取得工程と、前記取得された時間間隔に応じて、前記色補正処理を行うためのプロファイルを決定する決定工程と、前記映像信号に対して、前記決定されたプロファイルで色補正処理を行う処理工程とを有する。
【００１５】
また、本発明の画像処理方法は、映像信号に対して色補正処理を行い、当該色補正処理後の映像信号を、表示画面を更新する時間間隔を設定可能な表示装置に送信する画像処理装置が行う画像処理方法であって、前記表示装置において設定される、表示画面を更新する時間間隔である第１の時間間隔を取得する取得工程と、第２の時間間隔で表示画面を更新する表示装置で映像を表示させるための映像信号に対して色補正処理を行うためのプロファイルを読み出す読出工程と、前記第１の時間間隔と前記第２の時間間隔とが異なる場合、第２の時間間隔で表示画面を更新する表示装置で映像を表示させるための映像信号を変換する変換工程と、前記変換工程により変換された映像信号に対して前記プロファイルで色補正処理し、当該色補正処理後の映像信号を、前記第１の時間間隔で表示画面を更新する表示装置に送信し、前記第１の表示映像を表示させる処理工程とを有し、前記変換工程は、前記第１の表示映像と変換しない映像信号に対して前記第２の時間間隔で表示画面が切り換えられる表示装置で表示するための前記プロファイルで色補正処理した映像を前記第２の時間間隔で表示画面が切り換えられる表示装置で表示した場合の第２の表示映像との差分が、変換しない映像信号に対して前記第２の時間間隔で表示画面が切り換えられる表示装置で表示するための前記プロファイルで色補正処理した映像を前記第１の時間間隔で表示画面が切り換えられる表示装置で表示した場合の第３の表示映像と前記第２の表示映像との差分よりも小さくなるように映像信号を変換し、前記第１の表示映像を表示させる処理工程に、前記変換された映像信号を出力する。
【００１６】
また、本発明の画像処理方法は、映像信号に対して色補正処理を行い、当該色補正処理後の映像信号を、表示画面を更新する時間間隔を設定可能な表示装置に送信する画像処理装置が行う画像処理方法であって、前記表示装置において設定される、表示画面を更新する時間間隔である第１の時間間隔を取得する取得工程と、第２の時間間隔で表示画面を更新する表示装置で映像を表示させるための第１のプロファイルを読み出す読出工程と、前記第１の時間間隔と前記第２の時間間隔とが異なる場合、前記第２の時間間隔で表示画面を更新する表示装置で映像を表示させるために入力された映像信号を、前記第１の時間間隔で表示画面を更新する表示装置で映像を表示させるための映像信号に変換する信号変換工程と、前記第２の時間間隔で表示画面を更新する表示装置で映像を表示させるための第１のプロファイルを、第２の時間間隔とは異なる前記第１の時間間隔で表示画面を更新する表示装置で映像を表示させるための第２のプロファイルに変換するプロファイル変換工程と、前記第１の時間間隔で表示画面が更新される表示装置で映像を表示させるための映像信号に対して前記第１の時間間隔で表示画面を更新する表示装置で映像を表示させるための第２のプロファイルで色補正処理を行い、当該色補正処理後の映像信号を前記第１の時間間隔で表示画面を更新する表示装置に送信し、第１の表示映像を表示させる処理工程とを有し、前記プロファイル変換工程は、前記第１の表示映像と前記第２の時間間隔で表示画面が更新される表示装置で映像を表示させるための映像信号に対して第２の時間間隔で表示画面を更新する表示装置で表示するための第１のプロファイルで色補正処理した映像を前記第２の時間間隔で表示画面を更新する表示装置で表示した場合の第２の表示映像との差分が、前記第２の時間間隔で表示画面が更新される表示装置で映像を表示させるための映像信号に対して第２の時間間隔で表示画面を更新する表示装置で映像を表示させるための第１のプロファイルで色補正処理した映像を前記第１の時間間隔で表示画面を更新する表示装置で表示した場合の第３の表示映像と前記第２の表示映像との差分よりも小さくなるように、前記第１のプロファイルを第２のプロファイルに変換する。
【発明の効果】
【００１７】
本発明によれば、表示画面を更新する時間間隔の違いによる、表示映像の違いを低減することができる。
【発明を実施するための最良の形態】
【００１８】
以下、図面を参照して本発明の実施形態について詳細に説明する。
【００１９】
＜実施形態１＞
＜システム構成について＞
図１は、本実施形態における画像処理装置１００のシステム構成例を示すブロック図である。
【００２０】
同図において、１０１は、表示装置に設定される、表示画面を更新する時間間隔を後述する方法にて取得する間隔取得部である。
【００２１】
即ち、間隔取得部１０１は、表示画面を更新する時間間隔を表示装置から取得する。間隔取得部１０１は、取得した時間間隔をプロファイル決定部１０２に通知する。
【００２２】
尚、本実施形態では、表示装置が表示画面を更新する時間間隔のことを、以後、更新間隔と記載する。また、本実施形態では、基準となる表示画面を更新する時間間隔（例えば１０ｍｓｅｃ）のことを、以後、基準更新間隔と記載する。ただし、基準となる表示画面を更新する時間間隔は、１０ｍｓｅｃでなくとも良い。
【００２３】
つまり、本実施形態の画像処理装置１００は、基準更新間隔で映像を表示するための入力映像信号に応じた映像を、基準更新間隔とは異なる更新間隔で表示画面を更新する表示装置で表示させるための処理を行う。
【００２４】
また、間隔取得部１０１は、表示装置に設定された垂直同期周波数を取得する構成であっても良い。垂直同期周波数とは、表示装置が１秒間に表示画面を更新する回数を表す。また、垂直同期周波数は、垂直走査周波数、リフレッシュレートなどとも呼ばれ、単位はヘルツである。この場合、間隔取得部１０１は、表示装置に設定された垂直同期周波数を取得し、取得された垂直同期周波数をプロファイル決定部１０２に通知する。つまり、本実施形態の画像処理装置１００は、基準垂直同期周波数（例えば６０Ｈｚ）で映像を表示するための入力映像信号に応じた映像を、基準垂直同期周波数とは異なる垂直同期周波数（例えば１２０Ｈｚ）の表示装置で表示させるための処理を行う。
【００２５】
１０２は、間隔取得部１０１によって取得された更新間隔に応じて色補正処理に用いるデスティネーションプロファイル（表示装置に対応するプロファイル）を決定するプロファイル決定部である。
【００２６】
即ち、プロファイル決定部１０２は、間隔取得部１０１によって取得された更新間隔に応じて、色補正処理を行うためのプロファイルを決定する。
【００２７】
プロファイル決定部１０２は、決定したデスティネーションプロファイルを色補正処理部１０３に通知する。
【００２８】
１０３は、プロファイル決定部１０２によって決定されたデスティネーションプロファイルを用いて、映像信号に対して色補正処理を実行する色補正処理部である。即ち、色補正処理部１０３は、映像信号に対して、決定されたプロファイルで色補正処理を行う。
【００２９】
尚、色補正処理部１０３は、入力映像信号として、例えば、ＰＣ、デジタルカメラ、ネットワークカメラ等から入力される映像データの信号を受信する。本実施形態の入力映像信号は、基準更新間隔で表示画面を更新する表示装置で映像を表示させるための映像信号である。しかし、本実施形態の表示装置は、設定された更新間隔で表示画面を更新する表示装置である。そこで、色補正処理部１０３は、基準更新間隔で表示画面を更新する表示装置で映像を表示させるための映像信号を、設定された更新間隔で表示画面を更新する表示装置で映像を表示させるための映像信号に変換する。
【００３０】
即ち、色補正処理部１０３は、入力された映像信号に含まれる更新間隔を取得し、取得した更新間隔と表示装置に設定されている更新間隔とが異なる場合、映像信号を変換する。
【００３１】
色補正処理部１０３は、変換した映像信号に対して色補正処理を実行する。そして、色補正処理部１０３は、色補正処理の実行により得られた映像信号を、出力映像信号として表示装置に送信する。ただし、色補正処理部１０３に入力される入力映像信号が、すでに不図示の変換ユニットによって変換された映像信号であっても良い。
【００３２】
また、上述のように、間隔取得部１０１が、表示装置に設定される垂直同期周波数を取得するようにしても良い。この場合、垂直同期周波数を通知されたプロファイル決定部１０２は、垂直同期周波数に応じて色補正処理に用いるデスティネーションプロファイルを決定し、色補正処理部１０３に通知する。そして、色補正処理部１０３は、プロファイル決定部１０２から通知されたデスティネーションプロファイルを用いて、映像信号に対する色補正処理を行う。尚、色補正処理部１０３が、基準垂直同期周波数で映像を表示するための映像信号を、取得された垂直同期周波数で映像を表示するための映像信号に変更することは、更新間隔の例と同様である。
【００３３】
＜システム全体の処理＞
図２は、本実施形態の画像処理装置１００における処理の概要を示したフローチャートである。
【００３４】
Ｓ２０１（取得手順）において、間隔取得部１０１は、表示装置による表示画面の更新間隔を取得する。
【００３５】
即ち、Ｓ２０１において、間隔取得部１０１は、更新間隔を取得する。間隔取得部１０１による更新間隔の取得処理については後述する。
【００３６】
Ｓ２０２（決定手順）では、プロファイル決定部１０２が、Ｓ２０１で取得された更新間隔に基づいて、色補正処理に用いるプロファイルを既存プロファイルの中から選択する。
【００３７】
即ち、Ｓ２０２において、プロファイル決定部１０２は、間隔取得部１０１によって取得された更新間隔に応じて、色補正処理を行うためのプロファイルを決定する。
【００３８】
プロファイルの構成、及びプロファイル決定部１０２によるプロファイル決定処理の詳細については後述する。
【００３９】
Ｓ２０３（処理手順）では、色補正処理部１０３が、Ｓ２０２で決定されたプロファイルを適用して色補正処理を実行する。
【００４０】
即ち、Ｓ２０３において、色補正処理部１０３は、映像信号に対して、決定されたプロファイルで色補正処理を行う。
色補正処理部１０３による色補正処理の詳細については後述する。
【００４１】
尚、上述のように、間隔取得部１０１が、垂直同期周波数を取得するような構成とすることも可能である。この場合、間隔取得部１０１は、Ｓ２０１（取得手順）において、表示装置に設定された垂直同期周波数を取得し、それをプロファイル決定部１０２に通知する。また、プロファイル決定部１０２は、Ｓ２０２（決定手順）において、間隔取得部１０１から通知された垂直同期周波数に応じて、色補正処理に用いるデスティネーションプロファイルを決定する。そして、色補正処理部１０３は、Ｓ２０３（処理手順）において、プロファイル決定部１０２によって決定されたデスティネーションプロファイルを用いて、映像信号に対する色補正処理を実行する。
【００４２】
＜更新間隔の取得処理＞
次に、間隔取得部１０１による、表示装置が表示画面を更新する時間間隔の取得処理について、図３を用いて説明する。この処理は、間隔取得部１０１が図２のＳ２０１で行う処理に対応する。
【００４３】
図３は、表示装置のある表示位置において映像を表示させるために印加される駆動電圧の時間変化を表す概念図である。尚、本形態における表示装置内には、画面に映像を表示させるための駆動電圧を発生させる駆動回路が存在する。そして、表示装置の駆動回路には、外部から駆動電圧の取得を可能にするための端子を備えている。本形態の間隔取得部１０１は、駆動電圧を取得するための端子から、駆動電圧を取得する。
【００４４】
取得パターン１において、間隔取得部１０１は、ある表示位置に対する駆動電圧が、ある閾値Ｓに達する時刻を取得する。また、間隔取得部１０１は、閾値Ｓよりも駆動電圧が下がってから、再び閾値Ｓに達した時刻を取得する。そして、間隔取得部１０１は、閾値Ｓに達した２つの時刻から、更新間隔ｔ１を取得する。このように、間隔取得部１０１は、閾値Ｓに達した時刻から更新間隔ｔ１を取得することができる。
【００４５】
即ち、間隔取得部１０１は、更新間隔を、表示画面上に表示を行うために印加される電圧が閾値を超える時間間隔を計測することによって取得する。
【００４６】
また、取得パターン２において、間隔取得部１０１は、ある表示位置に対する駆動電圧が、複数回、閾値Ｓに達するまで、閾値Ｓに達した時刻をそれぞれ取得する。そして、取得された時刻に応じて、複数の時間間隔が取得される。図３の例では、複数の時間間隔は、Ｔ１、Ｔ２である。そして、間隔取得部１０１は、取得された複数の時間間隔のうち、最も短い時間間隔を、更新間隔として取得する。つまり、図３の例では、間隔取得部１０１は、より時間間隔が短いＴ２を、表示装置に設定された更新間隔として取得する。
【００４７】
即ち、間隔取得部１０１は、表示画面上に表示を行うために印加される電圧が閾値を超える時間間隔を複数回計測し、当該閾値を超える時間間隔のうち、最も短い時間間隔に基づいて更新間隔を取得する。
【００４８】
このようにすることで、間隔取得部１０１は、例えば、駆動電圧を計測する表示位置において、表示映像の輝度が一時的に下がったことによって駆動電圧が閾値Ｓに達しないことがあっても、更新間隔を取得することができる。
【００４９】
また、間隔取得部１０１は、表示画面上の複数の表示位置に対する駆動電圧を測定し、更新間隔を取得するようにしても良い。つまり、間隔取得部１０１は、例えば、駆動電圧の測定対象となる表示位置を、所定の間隔をあけて複数設定する。そして、間隔取得部１０１は、複数の表示位置のそれぞれにおいて、駆動電圧が閾値Ｓを超える時間間隔が異なる場合、その中で最も短い時間間隔を、更新間隔として取得する。
【００５０】
即ち、間隔取得部１０１は、表示画面上における複数の表示位置について、印加される電圧が閾値を越える時間間隔を計測する。
【００５１】
このようにすれば、例えば、表示画面上の一部の表示位置において、輝度が低いことによって駆動電圧が閾値Ｓを超えないような場合であっても、更新間隔を取得することができる。
【００５２】
また、間隔取得部１０１は、入力映像信号に含まれる映像情報から、表示映像の輝度の高い部分を判断し、それに応じて、駆動電圧を取得する表示画面上の位置を設定するようにしても良い。
【００５３】
即ち、間隔取得部１０１は、映像信号により、複数の表示位置を、輝度情報に基づいて選択する。
【００５４】
このようにすれば、表示映像の一部において、駆動電圧が閾値Ｓに達しない場合であっても、更新間隔を取得することができる。
【００５５】
また、間隔取得部１０１は、入力映像信号から表示映像の輝度を判断し、当該輝度によって、閾値Ｓを設定するようにしても良い。つまり、間隔取得部１０１は、入力映像信号から表示映像の輝度が低いと判断した場合、閾値Ｓが低くなるように設定する。そして、間隔取得部１０１は、設定した閾値Ｓに基づいて、更新間隔を取得する。
【００５６】
このようにすれば、例えば、表示画面全体の輝度が低いことによって駆動電圧が閾値Ｓに達しないような場合であっても、更新間隔を取得することができる。また、例えば、駆動電圧の測定対象としている表示部分の輝度が低いことによって駆動電圧が閾値Ｓに達しないような場合であっても、駆動電圧を取得する表示位置を変更せずに、更新間隔を取得することができる。
【００５７】
以上説明したように、間隔取得部１０１は、駆動電圧を測定することで、例えば、表示装置内のメモリ等から更新間隔の情報が取得できない場合であっても、当該更新間隔を取得することが可能となる。
【００５８】
尚、上述のように、間隔取得部１０１は、垂直同期周波数を取得するような構成であっても良い。この場合、例えば、間隔取得部１０１は、駆動電圧が閾値Ｓに達してから、それが閾値Ｓよりも下がったあと、再び閾値Ｓに達するまでの時間を周期ｔ１として、式（１）を用いて垂直同期周波数ｆを算出する。
【００５９】
【数１】
2010020079.tif 000003
【００６０】
尚、周期ｔ１は、更新間隔に対応する。つまり、垂直同期周波数を取得するために周期ｔ１を取得する場合も、上述の更新間隔を取得する方法を用いることが可能である。
【００６１】
また、更新間隔や、垂直同期周波数を取得する方法は、駆動電圧の取得に応じた方法に限らない。すなわち、間隔取得部１０１は、表示装置のメモリ等に、更新間隔や垂直同期周波数が記憶されている場合、そこから取得するようにしても良い。また、間隔取得部１０１は、ユーザが表示装置に対して更新間隔や垂直同期周波数を指定した際に、その指定された値を取得するようにしても良い。
【００６２】
＜プロファイルの決定処理＞
プロファイル決定部１０２は、Ｓ２０１で取得された更新間隔に対応するデスティネーションプロファイルを既存のプロファイルの中から選択する。この処理は、プロファイル決定部１０２が図２のＳ２０２で行う処理に対応する。尚、本実施形態では、デスティネーションプロファイルをプロファイル決定部１０２が記憶している。つまり、プロファイル決定部１０２は、複数のデスティネーションプロファイルを、更新間隔と関連付けて記憶している。そして、プロファイル決定部１０２は、間隔取得部１０１から通知された更新間隔に応じて、色補正処理に用いるデスティネーションプロファイルを決定する。
【００６３】
ここで、本実施形態で用いるデスティネーションプロファイルについて説明する。尚、デスティネーションプロファイルとは、入力映像信号に応じた色信号をデスティネーションデバイス（表示装置）の色空間に対応した色信号に変換するためのプロファイルである。
【００６４】
本実施形態におけるデスティネーションプロファイルは、更新間隔の値、及び、入力映像信号に応じたＸＹＺ刺激値を表示装置の色空間に対応したＸｄＹｄＺｄ刺激値に変換するための３×３マトリックスを含む。また、デスティネーションプロファイルは、ＸＹＺ刺激値を、ＲＧＢ信号値へと変換するための３×３マトリックスを含む。また、デスティネーションプロファイルは、表示装置のＲＧＢ信号値のガンマ特性を含む。
【００６５】
このように、本実施形態のプロファイル決定部１０２は、更新間隔のそれぞれにおける、入力映像信号に応じたＸＹＺ刺激値を表示装置の色空間に対応したＸｄＹｄＺｄ刺激値に変換するための３×３マトリックス、ＸＹＺ刺激値からＲＧＢ信号値へ変換するための３×３マトリックス、及び、表示装置のガンマ特性をデスティネーションプロファイルとして記憶している。
【００６６】
そして、プロファイル決定部１０２は、間隔取得部１０１によって通知された更新間隔に応じて、色補正処理に用いるデスティネーションプロファイルを決定する。
【００６７】
尚、デスティネーションプロファイルは、上記のものに限らず、３×３マトリックス、３次元テーブル、ＲＧＢガンマ特性、ＲＧＢの最大輝度、白色の色温度などを適宜組み合わせた形態でよい。
【００６８】
また、本実施形態の画像処理装置１００は、更新間隔のそれぞれにおける、デスティネーションプロファイルを、次のように作成する。すなわち、例えば入力映像信号に設定されている基準更新間隔（例えば１０ｍｓｅｃ）で再生されたときの表示映像と、同じ映像信号に応じた映像を、他の更新間隔（例えば１０ｍｓｅｃ）で再生されたときの表示映像を比較する。そして、他の更新間隔（１０ｍｓｅｃ）で再生されたときの表示映像の色や輝度と、基準更新間隔で再生されたときの表示映像の色や輝度との差異が小さくなるように、他の更新間隔のデスティネーションプロファイルを作成する。尚、基準更新間隔で表示するための入力映像信号は、他の更新間隔で表示するための映像信号にそれぞれ変換される。
【００６９】
つまり、基準更新間隔で映像を再生するための入力映像信号を、基準更新間隔で映像を再生するためのプロファイルを用いて色補正処理を行い、基準更新間隔で表示画面を更新する表示装置で再生する場合の表示映像の輝度や色が基準の輝度、色となる。しかし、基準更新間隔とは異なる更新間隔で画面を更新する表示装置で映像を再生する場合、基準更新間隔に応じたプロファイルで色補正処理を行うと、表示映像の輝度や色が基準となる輝度や色と異なってしまう。例えば、図９に示したように、更新間隔が基準更新間隔よりも短いと、表示映像の輝度が基準の輝度よりも高くなってしまう。しかし、基準更新間隔とは異なる更新間隔で画面を更新する表示装置で再生する場合であっても、その表示映像の輝度や色が、基準とする輝度や色とできるだけ違わないようにすることが望ましい。つまり、表示装置に設定された更新間隔によって、再生される映像の輝度や色が異なってしまうことはできるだけ防ぐことが望ましい。そこで、画像処理装置１００は、テスト用映像を、基準更新間隔、及び他の更新間隔で表示させ、その表示映像の輝度、色を比較する。そして、他の更新間隔で表示される場合の表示映像の輝度や色が、基準更新間隔で表示される場合の表示映像の輝度や色に近づくように、他の更新間隔で表示するための色補正処理に用いるために、基準更新間隔のデスティネーションプロファイルを変換する。このようにして、画像処理装置１００は、各更新間隔に対応するデスティネーションプロファイルを生成する。本実施形態のプロファイル決定部１０２は、上記のようにしてあらかじめ生成された、複数の更新間隔のそれぞれにおけるデスティネーションプロファイルを記憶している。ただし、画像処理装置１００は、上記のようなデスティネーションプロファイルを、他の装置から読み込むことによって、記憶していても良い。
【００７０】
また、更新間隔の代わりに、垂直同期周波数のそれぞれにおける、デスティネーションプロファイルを作成しておいても良い。この場合、例えば入力映像信号に設定されている基準垂直同期周波数（例えば６０Ｈｚ）で再生されたときの表示映像と、同じ映像信号に応じた映像を他の垂直同期周波数（例えば１２０Ｈｚ）で再生されたときの表示映像を比較する。そして、他の垂直同期周波数（１２０Ｈｚ）で再生されたときの表示映像の色や輝度と、基準となる垂直同期周波数で再生されたときの表示映像の色や輝度との差異が小さくなるように、他の垂直同期周波数のデスティネーションプロファイルを作成する。尚、基準垂直同期周波数で表示するための入力映像信号は、他の垂直同期周波数で表示するための映像信号にそれぞれ変換される。本実施形態のプロファイル決定部１０２は、上記のようにしてあらかじめ生成された、複数の垂直同期周波数のそれぞれにおけるデスティネーションプロファイルを記憶している。
【００７１】
＜色補正処理＞
色補正処理部１０３は、ソースプロファイル、及び、Ｓ２０２で決定されたデスティネーションプロファイルを用いて、映像信号に対し、色補正処理を行う。この処理は、色補正処理部１０３が図２のＳ２０３で行う処理に対応する。図４は、色補正処理部１０３による色補正処理を説明するためのフローチャートである。尚、本形態の色補正処理部１０３は、上述のように、基準更新間隔で表示画面を更新する表示装置で映像を表示させるための映像信号を、設定された更新間隔で表示画面を更新する表示装置で映像を表示させるための映像信号に変換する。
【００７２】
Ｓ４０１において、色補正処理部１０３は、入力映像信号から、注目画素のＲＧＢ信号値を取得する。
【００７３】
Ｓ４０２、及びＳ４０３では、色補正処理部１０３がソースプロファイルを用いて、Ｓ４０１で取得したＲＧＢ信号値をＸＹＺ刺激値へ変換する。なお、本実施形態におけるソースプロファイルは、入力映像信号のＲＧＢ信号値のガンマ特性、ＲＧＢ信号値をＸＹＺ刺激値に変換するための、例えば、３×３マトリックスを含む。また、ソースプロファイルは、入力映像信号に含まれているものであっても、予め画像処理装置１００内に記憶されているものであっても、ユーザが指定するものであっても良い。
【００７４】
Ｓ４０２において、色補正処理部１０３は、ソースプロファイルを用いて、注目画素の逆ガンマ補正を行う。つまり、色補正処理部１０３は、ソースプロファイルに含まれるＲＧＢガンマ特性を用いて、Ｓ４０１で取得したＲＧＢ信号値を、ガンマ＝１．０のＲ’Ｇ’Ｂ’信号値に変換する。色補正処理部１０３は、注目画素のＲＧＢ信号値を式（２）のように変換する。
【００７５】
【数２】
2010020079.tif 000004
【００７６】
ここで、γＲγＧγＢは、入力映像信号のＲＧＢガンマ特性に応じたガンマ値である。
【００７７】
Ｓ４０３において、色補正処理部１０３は、Ｓ４０２で算出されたＲ’Ｇ’Ｂ’信号値を、ソースプロファイルに含まれる３×３マトリックスを用いてＸＹＺ刺激値に変換する。色補正処理部１０３は、Ｒ’Ｇ’Ｂ’信号値がｓＲＧＢ色空間の場合、式（３）のように変換する。
【００７８】
【数３】
2010020079.tif 000005
【００７９】
Ｓ４０４において、色補正処理部１０３は、Ｓ２０２で選択されたデスティネーションプロファイルを用いてガモットマッピングを行う。つまり、色補正処理部１０３は、デスティネーションプロファイルを用いて、Ｓ４０３で算出されたＸＹＺ刺激値を、ＸｄＹｄＺｄ刺激値に変換する。ここで、ＸｄＹｄＺｄ値は、表示装置の色空間に対応したＸＹＺ刺激値を示している。
【００８０】
尚、上述のように、Ｓ２０２で選択したデスティネーションプロファイルには、入力信号に応じたＸＹＺ刺激値からＸｄＹｄＺｄ値を算出するための３×３マトリックスが含まれている。色補正処理部１０３は、この３×３マトリックスを用いて、ＸＹＺ刺激値をディスプレイの色空間に対応したＸｄＹｄＺｄ刺激値に変換する。
【００８１】
また、ガモットマッピング処理は種々の方法が知られている。たとえば、ソースの最も明るい色と最も暗い色をデスティネーションの最も明るい色と最も暗い色に合わせ、その他の色については、最も明るい色と最も暗い色との関係を保つように変換する方法がある。また、ほかに、ソースの白をデスティネーションの白にマッピングし、ガモット内の色は正確に再現し、ガモットに収まらない色は、再現可能な最も近い色にクリッピングする方法などがある。本実施形態において、ガモットマッピングの方法は、特に限定しない。
【００８２】
Ｓ４０５において、色補正処理部１０３は、Ｓ４０４で算出されたＸｄＹｄＺｄ刺激値を、デスティネーションプロファイルを用いてＲｄＧｄＢｄ信号値に変換する。ここで、ＲｄＧｄＢｄ信号値は、表示装置の色空間に対応したＲＧＢ信号値を示している。
【００８３】
尚、上述のように、Ｓ２０２で選択されるデスティネーションプロファイルには、ＸＹＺ刺激値からＲＧＢ信号値へ変換する３×３マトリックスが含まれている。色補正処理部１０３は、この３×３マトリックスを用いて式（４）のようにＸｄＹｄＺｄ刺激値を変換する。
【００８４】
【数４】
2010020079.tif 000006
【００８５】
式（４）の３×３の行列がデスティネーションプロファイルの持つ３×３マトリックスである。
【００８６】
Ｓ４０６において、色補正処理部１０３は、Ｓ４０５で算出されたＲｄＧｄＢｄ信号値を、デスティネーションプロファイルを用いて、表示装置のガンマ特性に応じたＲ”ｄＧ”ｄＢ”ｄ信号値に変換する。
【００８７】
尚、上述のように、Ｓ２０２で選択されるデスティネーションプロファイルには、表示装置のＲＧＢガンマ特性が含まれている。色補正処理部１０３は、この表示装置のＲＧＢガンマ特性を用いて、ＲｄＧｄＢｄ信号値を式（５）のように変換する。
【００８８】
【数５】
2010020079.tif 000007
【００８９】
ここで、γ’Ｒγ’Ｇγ’Ｂは、表示装置のＲＧＢガンマ特性に応じたガンマ値である。
【００９０】
Ｓ４０７において、色補正処理部１０３は、１フレームすべての画素において上記色変換処理が実行されたか否かを判断し、実行されたと判断された場合、色変換処理を終了し、終了していなければＳ４０８に進む。
【００９１】
Ｓ４０８において、色補正処理部１０３は、注目画素を移動し、Ｓ４０１へ戻る。注目画素の移動は、たとえば、画面左上の画素から右下方向へ順次移動するものとする。しかし、注目画素の移動は、これに限らない。また、色補正処理の方法は上記以外の方法であってもよい。
【００９２】
以上説明したように、本実施形態の画像処理装置１００は、表示装置の更新間隔を取得し、取得した更新間隔に対応したデスティネーションプロファイルを用いて、色補正処理を実行する。
【００９３】
このようにすることにより、垂直同期周波数（表示画面を更新する時間間隔）の違いによる、表示映像の違いを低減することができる。
【００９４】
尚、上述のように、更新間隔の代わりに、垂直同期周波数を取得し、取得された垂直同期周波数に対応したデスティネーションプロファイルによって色補正処理を実行するようにしても良い。
【００９５】
また、本実施形態の画像処理装置１００は、表示装置に組み込まれたものであっても、表示装置とは別の装置であっても良い。
【００９６】
＜実施形態２＞
次に、本発明の第２の実施形態について、実施形態１との差異を中心に説明する。
【００９７】
実施形態１におけるプロファイル決定部１０２には、表示画面を更新する時間間隔ごとのデスティネーションプロファイルが予め記憶されていた。そして、プロファイル決定部１０２は、間隔取得部１０１によって取得された表示画面を更新する時間間隔に応じて、色補正処理に用いるデスティネーションプロファイルを決定していた。
【００９８】
それに対し、本実施形態のプロファイル決定部２０２には、基準となる表示画面を更新する時間間隔（例えば１０ｍｓｅｃ）で映像を表示するために用いるデスティネーションプロファイルが記憶されている。そして、取得された表示画面を更新する時間間隔に応じて、基準となる表示画面を更新する時間間隔で映像を表示するために用いるデスティネーションプロファイルを変換する例について説明する。
【００９９】
以下、実施形態１と同様に、表示画面を更新する時間間隔のことを、更新間隔と記載する。また、基準となる表示画面を更新する時間間隔（例えば１０ｍｓｅｃ）のことを、基準更新間隔と記載する。ただし、基準となる表示画面を更新する時間間隔は、１０ｍｓｅｃに限らず、任意の時間間隔とすることができる。つまり、本実施形態の画像処理装置２００は、基準更新間隔で映像を表示するための入力映像信号に応じた映像を、基準更新間隔とは異なる更新間隔で表示画面を更新する表示装置で表示させるための処理を行う。
【０１００】
図５は、第２の実施形態における画像処理装置２００のブロック図である。同図において、間隔取得部２０１は、実施形態１の間隔取得部１０１と同様の方法により、表示装置における更新間隔を取得する。
【０１０１】
即ち、間隔取得部２０１は、表示装置において設定される、表示画面を更新する時間間隔（第１の時間間隔）を取得する。尚、間隔取得部２０１が、垂直同期周波数を取得するような構成でも良いことは、実施形態１と同様である。
【０１０２】
プロファイル決定部２０２は、基準更新間隔（第２の時間間隔）で映像を表示するために用いるデスティネーションプロファイルを記憶している。
【０１０３】
即ち、プロファイル決定部２０２は、基準更新間隔（第２の時間間隔）で表示画面を更新する表示装置で映像を表示させるためのデスティネーションプロファイル（第１のプロファイル）を記憶している。
【０１０４】
このデスティネーションプロファイルには、基準更新間隔の値（例えば１０ｍｓｅｃ）、ＸＹＺ刺激値から基準更新間隔のＲＧＢ信号値へと変換するための３次元テーブルが含まれる。また、このデスティネーションプロファイルには、入力映像信号に応じたＸＹＺ刺激値を、表示装置の色空間に対応したＸｄＹｄＺｄ刺激値に変換するための３×３マトリックスが含まれる。さらに、このデスティネーションプロファイルには、基準更新間隔における表示装置のＲＧＢ信号値のガンマ特性が含まれる。ただし、デスティネーションプロファイルの構成は、これに限らない。本実施形態では、このような構成のデスティネーションプロファイルを、詳細プロファイルと呼ぶ。
【０１０５】
また、本実施形態のプロファイル決定部２０２は、基準とは別の更新間隔で再生される表示映像と、基準更新間隔で再生される表示映像との輝度や色の差異が低減するように、詳細プロファイルを変換するための簡易プロファイル（補正情報）を記憶している。
【０１０６】
本実施形態の画像処理装置２００は、この簡易プロファイルを、次のように予め作成し、プロファイル決定部２０２に記憶している。すなわち、まず、入力映像信号に応じた基準更新間隔（例えば１０ｍｓｅｃ）で再生されたときの表示映像と、他の更新間隔（例えば５ｍｓｅｃ）で再生されたときの表示映像を比較する。そして、他の更新間隔で再生されたときの表示映像の色や輝度と、基準更新間隔で再生されたときの表示映像の色や輝度との差異が小さくなるように、詳細プロファイルを変換するための簡易プロファイルを作成する。つまり、画像処理装置２００は、ある更新間隔で表示されるテスト用映像が基準更新間隔で表示される映像に近づくように、基準更新間隔の詳細プロファイルを変換するための簡易プロファイルを作成する。本実施形態のプロファイル決定部２０２は、上記のようにしてあらかじめ生成された、複数の更新間隔のそれぞれにおける簡易プロファイルを記憶している。ただし、画像処理装置２００は、上記のような簡易プロファイルを、他の装置から読み込むことによって、記憶していても良い。
【０１０７】
２０４は、間隔取得部２０１が取得した更新間隔に対応したプロファイル（生成プロファイル）を生成するプロファイル生成部である。すなわち、プロファイル生成部２０４は、取得された更新間隔に応じた簡易プロファイル（補正情報）を用いて、基準更新間隔の詳細プロファイルを変換し、取得された更新間隔に応じた生成プロファイルを生成する。尚、本形態の表示装置によって表示される映像（第１の表示映像）は、以下のような表示映像である。すなわち、表示装置の更新間隔で映像を表示させるために変換された映像信号に対して、生成プロファイルで色補正処理して得られた出力映像信号に応じた映像を、取得された更新間隔（第１の時間間隔）で表示する表示映像である。
【０１０８】
また、第１の表示映像は、基準更新間隔で映像を表示させるための入力映像信号が、基準更新間隔に応じた詳細プロファイルで色補正処理され、表示装置において基準更新間隔で映像を表示する場合の表示映像（第２の表示映像）との差分が小さいことが望ましい。尚、第２の表示映像の輝度、色が、以下のような表示映像と異なることは、図９、１０に示した通りである。即ち、第２の表示映像は、基準更新間隔で映像を表示させるための入力映像信号を基準更新間隔に応じた詳細プロファイルで色補正処理し、基準更新間隔とは異なる更新間隔（第１の時間間隔）で表示する場合の表示映像（第３の表示映像）と異なる。
【０１０９】
そこで、プロファイル生成部２０４は、第１の表示映像と第２の表示映像の差分が、第３の表示映像と第２の表示映像の差分よりも小さくなるように、基準更新間隔に応じた詳細プロファイルを変換する。即ち、プロファイル生成部２０４は、基準更新間隔に応じた詳細プロファイル（第１のプロファイル）を生成プロファイル（第２のプロファイル）に変換する。
【０１１０】
そして、プロファイル生成部２０４は、色補正処理部２０３に、変換によって得られた生成プロファイル（第２のプロファイル）を出力する。
【０１１１】
即ち、プロファイル生成部２０４は、基準更新間隔（第２の時間間隔）とは異なる更新間隔（第１の時間間隔）で表示画面を更新する表示装置で第１の表示映像を表示する場合に、第１のプロファイルを第２のプロファイルに変換する。ここで、第１のプロファイルは、基準更新間隔の詳細プロファイル、第２のプロファイルは、生成プロファイルのことを示す。また、プロファイル生成部２０４は、上述のように、第１の表示映像と第２の表示映像との差分が、第３の表示映像と第２の表示映像との差分よりも小さくなるように基準更新間隔の詳細プロファイルを生成プロファイルに変換する。
【０１１２】
ここで、第１の表示映像は、取得された更新間隔（第１の時間間隔）で映像を表示するために変換された映像信号に対して生成プロファイルで色補正処理され、取得された更新間隔で表示画面を更新する表示装置で表示される表示映像である。また、第２の表示映像は、基準更新間隔で映像を表示するための映像信号に対して基準更新間隔（第２の時間間隔）に応じた詳細プロファイルで色補正処理され、基準更新間隔で表示画面を更新する表示装置で表示する場合の表示映像である。また、第３の表示映像は、取得された更新間隔（第１の時間間隔）で映像を表示するために変換された映像信号に対して基準更新間隔（第２の時間間隔）の詳細プロファイルで色補正処理され、第１の時間間隔で表示画面を更新して表示する場合の表示映像である。尚、上述のように、第１の表示映像と第３の表示映像は、基準更新間隔（第２の時間間隔）で映像を表示させるための映像信号を、取得された更新間隔（第１の時間間隔）で映像を表示させるための映像信号に変換し、色補正処理を行って表示される映像である。
【０１１３】
２０３は、プロファイル生成部２０４によって生成された生成プロファイルを用いて、映像信号に対して色補正処理を実行する色補正処理部である。また、色補正処理部２０３は、生成プロファイルによる色補正処理後の映像信号を出力映像信号として表示装置に送信する。出力映像信号を受けた表示装置は、出力映像信号に応じた表示映像を表示させる。尚、上述のように、本実施形態の表示装置によって表示される映像（第１の表示映像）は、次のような表示映像である。すなわち、取得された更新間隔（第１の時間間隔）で映像を表示するために変換された映像信号に対して生成プロファイルで色補正処理して得られた出力映像信号に応じた映像が、取得された更新間隔で表示画面上に表示される表示映像である。
【０１１４】
つまり、本実施形態の色補正処理部２０３に入力される入力映像信号は、基準更新間隔（第２の時間間隔）で表示画面を更新する表示装置で映像を表示させるための映像信号である。しかし、本実施形態の表示装置は、取得された更新間隔（第１の時間間隔）で表示画面を更新する表示装置である。そこで、色補正処理部２０３は、基準更新間隔で表示画面を更新する表示装置で映像を表示させるための映像信号を、取得された更新間隔で表示画面を更新する表示装置で映像を表示させるための映像信号に変換する。そして、色補正処理部２０３は、変換後の映像信号に対して、色補正処理を実行する。
【０１１５】
即ち、色補正処理部２０３は、基準更新間隔（第２の時間間隔）で表示画面を更新する表示装置で映像を表示させるために入力された映像信号を取得された更新間隔（第１の時間間隔）で表示画面を更新する表示装置で映像を表示させるための映像信号に変換する。
【０１１６】
また、色補正処理部２０３は、入力された映像信号に含まれる更新間隔を取得し、取得した更新間隔と表示装置に設定されている更新間隔とが異なる場合に、映像信号を変換する。
【０１１７】
ただし、色補正処理部２０３に入力される入力映像信号が、すでに不図示の変換ユニットによって、表示装置に設定された更新間隔に応じて変換された映像信号であっても良い。
【０１１８】
また、或いは、色補正処理部２０３は、基準更新間隔に応じた映像信号に対する色補正処理を実行し、色補正処理後の映像信号を、表示装置に設定された更新間隔に応じた映像信号に変換するようにしても良い。
【０１１９】
色補正処理部２０３は、上述のようにして色補正処理をして得られた映像信号を、出力映像信号として表示装置に送信する。尚、表示装置は、取得した更新間隔（第１の時間間隔）で表示画面を更新させて映像を表示する表示装置である。
【０１２０】
即ち、色補正処理部２０３は、第１の時間間隔で表示画面を更新する表示装置で映像を表示させるための映像信号に対して第１の時間間隔で表示画面を更新する表示装置で映像を表示させるための第２のプロファイルで色補正処理を行う。また、色補正処理部２０３は、色補正処理後の映像信号を第１の時間間隔で表示画面を更新する表示装置に送信し、第１の表示映像を表示させる。ここで、第２のプロファイルは、基準更新間隔に応じた詳細プロファイルを変換することで生成される生成ファイルである。
【０１２１】
尚、本実施形態では、取得された更新間隔に応じて、基準更新間隔の詳細プロファイルを生成プロファイルに変換する例について説明したが、垂直同期周波数を取得する構成としても良いことは、実施形態１と同様である。すなわち、プロファイル決定部２０２は、間隔取得部２０１が取得した垂直同期周波数に応じて、基準更新間隔の詳細プロファイルを生成プロファイルに変換しても良い。この場合、プロファイル決定部２０２では、垂直同期周波数に応じて基準更新間隔の詳細プロファイルを変換するための複数の簡易プロファイル（補正情報）を記憶している。
【０１２２】
＜システム全体の処理＞
図６は、本実施形態の画像処理装置２００における処理の概要を示したフローチャートである。尚、本実施形態の画像処理装置２００は、基準更新間隔（第２の時間間隔）で表示画面を更新する表示装置で映像を表示させるための映像信号に対して色補正処理を行うための詳細プロファイル（第１のプロファイル）を記憶している。
【０１２３】
Ｓ６０１（取得手順）において、間隔取得部２０１は、更新間隔を取得する。間隔取得部２０１による更新間隔の取得方法は、実施形態１と同様である。
【０１２４】
即ち、Ｓ６０１において、間隔取得部２０１は、表示装置において設定される、表示画面を更新する時間間隔（第１の時間間隔）を取得する。
【０１２５】
Ｓ６０２（読出手順）において、プロファイル決定部２０２は、Ｓ６０１で取得された更新間隔に基づいて、詳細プロファイルの変換に用いる簡易プロファイルを決定する。また、プロファイル決定部２０２は、Ｓ６０２で、基準更新間隔の詳細プロファイルを読み出す。
【０１２６】
即ち、Ｓ６０２において、プロファイル決定部２０２は、基準更新間隔（第２の時間間隔）で表示画面を更新する表示装置で映像を表示させるためのプロファイルを読み出す。
【０１２７】
プロファイル決定部２０２は、簡易プロファイルと基準更新間隔の詳細プロファイルをプロファイル生成部２０４に通知する。
【０１２８】
Ｓ６０３（プロファイル変換手順）において、プロファイル生成部２０４は、Ｓ６０２で選択された簡易プロファイル、及び基準更新間隔の詳細プロファイルに基づいて、取得された更新間隔に応じた生成プロファイルを生成する。つまり、Ｓ６０３で、プロファイル生成部２０４は、取得された更新間隔に応じた簡易プロファイルを用いて、基準更新間隔の詳細プロファイルを変換することで、取得した更新間隔に対応するプロファイル（生成プロファイル）を生成する。つまり、プロファイル生成部２０４は、取得した更新間隔に応じた詳細プロファイルを、生成プロファイルとして生成する。
【０１２９】
即ち、Ｓ６０３で、プロファイル生成部２０４は、基準更新間隔（第２の時間間隔）とは異なる更新間隔（第１の時間間隔）で表示画面を更新する表示装置で第１の表示映像を表示する場合に、第１のプロファイルを第２のプロファイルに変換する。
【０１３０】
尚、第１の表示映像は、取得された更新間隔（第１の時間間隔）で映像を表示するために変換された映像信号に対して生成プロファイルで色補正処理され、取得された更新間隔で表示画面を更新する表示装置で表示される表示映像である。
【０１３１】
プロファイル生成部１０４による生成プロファイルの生成処理については後述する。
【０１３２】
Ｓ６０４（信号変換手順）において、色補正処理部２０３は、基準更新間隔で表示画面を更新する表示装置で映像を表示させるために入力された入力映像信号を、取得された更新間隔で表示画面を更新する表示装置で映像を表示させるための映像信号に変換する。
【０１３３】
即ち、色補正処理部２０３は、基準更新間隔で表示画面を更新する表示装置で映像を表示させるために入力された映像信号を、取得された更新間隔（第１の時間間隔）で表示画面を更新する表示装置で表示させるための映像信号に変換する。ここで、入力映像信号は、基準更新間隔（第２の時間間隔）で表示画面を更新する表示装置で映像を表示させるために入力された映像信号である。
【０１３４】
また、Ｓ６０４（処理手順）において、色補正処理部２０３は、Ｓ６０３で生成された生成プロファイルを適用して、変換された映像信号に対して色補正処理を実行する。そして、色補正処理部２０３は、色補正処理後の映像信号を、表示装置に送信する。
【０１３５】
即ち、色補正処理部２０３は、Ｓ６０４で、第１の時間間隔で表示画面が更新される表示装置で映像を表示させるための映像信号に対して第１の時間間隔で表示画面を更新する表示装置で映像を表示させるための第２のプロファイルで色補正処理を行う。そして、色補正処理部２０３は、色補正処理後の映像信号を第１の時間間隔で表示画面を更新する表示装置に送信し、第１の表示映像を表示させる。ここで、第１の時間間隔は、間隔取得部２０１によって取得された更新間隔、第２のプロファイルは、取得された更新間隔に応じて基準更新間隔の詳細プロファイルを変換して生成された生成プロファイルである。また、上述のように、色補正処理部２０３は、第２の時間間隔で映像を表示させるために入力された入力映像信号を、第１の時間間隔で表示画面が更新される表示装置で映像を表示させるための映像信号に変換している。
【０１３６】
＜プロファイル決定の処理＞
次に、プロファイル決定部２０２がＳ６０２において基準更新間隔の詳細プロファイルの変換に用いる簡易プロファイルを決定する処理、及び、簡易プロファイル、詳細プロファイルの内容について説明する。
【０１３７】
プロファイル決定部２０２は、Ｓ６０１で取得された更新間隔に応じて、基準更新間隔の詳細プロファイルの変換に用いる簡易プロファイルを決定する。また、プロファイル決定部２０２は、基準更新間隔の詳細プロファイルを読み出す。そして、プロファイル決定部２０２は、決定した簡易プロファイルと、基準更新間隔に応じた詳細プロファイルとをプロファイル生成部２０４に通知する。
【０１３８】
次に、プロファイル決定部２０２が選択する簡易プロファイルについて説明する。プロファイル決定部２０２によって選択される簡易プロファイルは、実施形態１と同じくデスティネーションプロファイルである。
【０１３９】
本実施形態において、ある更新間隔（例えば５ｍｓｅｃ）に対応する簡易プロファイルは、以下の構成を含む。すなわち、簡易プロファイルは、更新間隔の値（５ｍｓｅｃ）を含む。また、簡易プロファイルは、ＸＹＺ刺激値を当該更新間隔（５ｍｓｅｃ）のＲＧＢ信号値へ変換する３×３マトリックスとＸＹＺ刺激値を基準更新間隔のＲＧＢ信号値へ変換する３×３マトリックスとを組み合わせた３×３マトリックスを含む。また、この簡易プロファイルは、更新間隔（５ｍｓｅｃ）における表示装置のＲＧＢ信号値のガンマ特性を含む。ただし、簡易プロファイルの構成はこれに限らない。この３×３マトリックスは、基準更新間隔で表示される場合の表示映像と、別の更新間隔で表示される場合の表示映像との輝度、色の差分を、予め測定しておくことによって生成することができる。ただし、これらの情報を、他の機器等から読み出すような構成であっても良い。
【０１４０】
尚、本実施形態における詳細プロファイルの構成は、以下の構成を含む。すなわち、基準更新間隔の値（例えば、１０ｍｓｅｃ）、ＸＹＺ刺激値から基準更新間隔のＲＧＢ信号値へと変換するための３次元テーブルを含む。また、詳細プロファイルは、入力映像信号に応じたＸＹＺ刺激値を、表示装置の色空間に対応したＸｄＹｄＺｄ刺激値に変換するための３×３マトリックスを含む。また、詳細プロファイルは、基準更新間隔における表示装置のＲＧＢ信号値のガンマ特性を含む。詳細プロファイルに含まれる、ＸＹＺ刺激値からＲＧＢ信号値へと変換するための３次元テーブルの例を図７に示す。
【０１４１】
＜プロファイル生成の処理＞
次に、プロファイル生成部２０４が行う、プロファイル生成の処理手順について、図８のフローチャートを用いて説明する。この処理は、図６のＳ６０３（変換手順）の処理に対応する。
【０１４２】
Ｓ８０１において、プロファイル生成部２０４は、図７に示した３次元テーブルのＲＧＢ信号値に対して、詳細プロファイル含まれるＲＧＢガンマ特性を用いて逆ガンマ補正をかけてＲ’Ｇ’Ｂ’信号値に変換する。変換式には、式２を用いる。
【０１４３】
また、３次元テーブルは、基準更新間隔の詳細プロファイルに含まれる３次元テーブルである。
【０１４４】
Ｓ８０２において、プロファイル生成部２０４は、Ｓ８０１で得られたＲ’Ｇ’Ｂ’信号値を、取得された更新間隔に応じたＲＧＢ信号値である、Ｒ”Ｇ”Ｂ”信号値に変換する。この変換では、Ｓ６０２で選択された簡易プロファイルに含まれる３×３マトリックスが用いられる。
【０１４５】
以下、簡易プロファイルに含まれる３×３マトリックスの内容と、Ｒ’Ｇ’Ｂ’信号値からＲ”Ｇ”Ｂ”信号値への変換方法について説明する。
【０１４６】
尚、Ｒ’Ｇ’Ｂ’信号値は、基準更新間隔の詳細プロファイルにおける３次元テーブルのＲＧＢ信号値を、詳細プロファイルのガンマ特性を用いて逆ガンマ補正したＲＧＢ信号値である。また、Ｒ”Ｇ”Ｂ”信号値は、基準更新間隔で再生する表示映像と、取得された更新間隔で再生する表示映像との輝度や色の差異が低減するように変換されたＲＧＢ信号値である。つまり、プロファイル生成部２０４は、ＸＹＺ刺激値から変換されるＲＧＢ信号値が、基準更新間隔に応じたＲＧＢ信号値から、取得された更新間隔に応じたＲ”Ｇ”Ｂ”信号値になるように、詳細プロファイルの３次元テーブルを変換する。
【０１４７】
式（４）より、ＸＹＺ刺激値を基準更新間隔のＲＧＢ信号値Ｒｃｒｉ，Ｇｃｒｉ，Ｂｃｒｉに変換する場合、次式のようになる。
【０１４８】
【数６】
2010020079.tif 000008
【０１４９】
ここで、
【０１５０】
【数７】
2010020079.tif 000009
【０１５１】
とすると、式（６）は
【０１５２】
【数８】
2010020079.tif 000010
と表せる。
【０１５３】
一方、ＸＹＺ刺激値を、間隔取得部１０１で取得された更新間隔に対応したＲＧＢ信号値Ｒｏｕｔ，Ｇｏｕｔ，Ｂｏｕｔに変換する場合、次式のようになる。
【０１５４】
【数９】
2010020079.tif 000011
【０１５５】
Ｒｏｕｔ，Ｇｏｕｔ，ＢｏｕｔをＲｃｒｉ，Ｇｃｒｉ，Ｂｃｒｉから以下のように算出する。式（８）より、
【０１５６】
【数１０】
2010020079.tif 000012
【０１５７】
となる。式（１０）の両辺にＭｏｕｔ−１  Ｍｃｒｉをかけると、
【０１５８】
【数１１】
2010020079.tif 000013
【０１５９】
さらに、式（１１）は、
【０１６０】
【数１２】
2010020079.tif 000014
【０１６１】
となる。式（１２）は式（９）より、
【０１６２】
【数１３】
2010020079.tif 000015
となる。
【０１６３】
ここで、基準更新間隔の詳細プロファイルの３次元テーブルから得られたＲ’Ｇ’Ｂ’信号値はＲｃｒｉ，Ｇｃｒｉ，Ｂｃｒｉに相当し、取得された更新間隔に対応するＲ”Ｇ”Ｂ”信号値はＲｏｕｔ，Ｇｏｕｔ，Ｂｏｕｔに相当する。よって、式（１３）は、
【０１６４】
【数１４】
2010020079.tif 000016
【０１６５】
となる。式（１４）から、３×３マトリックスはＭｏｕｔ−１  Ｍｃｒｉから得られ、Ｒ’Ｇ’Ｂ’信号値をＲ”Ｇ”Ｂ”信号値へ変換するための変換式が得られた。
【０１６６】
プロファイル決定部２０２は、上述のようにして求めた、３×３マトリックスをあらかじめ記憶している。この３×３マトリックスは、ＸＹＺ刺激値をある更新間隔（５ｍｓｅｃ）のＲＧＢ信号値へ変換する３×３マトリックスとＸＹＺ刺激値を基準更新間隔（１０ｍｓｅｃ）のＲＧＢ信号値へ変換する３×３マトリックスとを組み合わせた３×３マトリックスである。尚、この３×３マトリックスは、更新間隔ごとに算出され、記憶されている。
【０１６７】
そして、プロファイル生成部２０４は、Ｓ８０２において、プロファイル決定部２０２により通知された上記の３×３マトリックスを用いて、Ｒ’Ｇ’Ｂ’信号値をＲ”Ｇ”Ｂ”信号値に変換する。
【０１６８】
Ｓ８０３において、プロファイル生成部２０４は、Ｓ８０２で算出されたＲ”Ｇ”Ｂ”信号値に対して、簡易プロファイルのＲＧＢガンマ特性を用いてガンマ補正をかけてＲ’’’Ｇ’’’Ｂ’’’信号値に変換する。変換には式（５）を用いる。このようにして、詳細プロファイルの３次元テーブルは、基準更新間隔に基づくものから、取得された更新間隔に基づくものに変換される。
【０１６９】
そして、プロファイル生成部２０４は、詳細プロファイルの基準更新間隔、及び基準更新間隔におけるＲＧＢガンマ特性を、取得された更新間隔、及び取得された更新間隔におけるＲＧＢガンマ特性に置き換える。
【０１７０】
プロファイル生成部２０４は、図８のような手順により、間隔取得部２０１で取得された更新間隔に対応するように、生成プロファイルの生成を行う。そして、プロファイル生成部２０４は、生成プロファイルを色補正処理部２０３に提供する。生成プロファイルの提供を受けた色補正処理部２０３は、実施形態１と同様に、入力映像信号を取得された更新間隔に応じて変換し、色補正処理を実行する。なお、プロファイル生成部２０４による、生成プロファイルの生成方法は、これに限らない。すなわち、たとえば、２つの更新間隔のそれぞれにおける詳細プロファイルを記憶しておき、それらの補間値から、プロファイルを生成してもよい。
【０１７１】
以上説明したように、本実施形態の画像処理装置２００は、基準更新間隔の詳細プロファイルと、表示装置の更新間隔の簡易プロファイルから、表示装置の更新間隔に対応した詳細プロファイル（生成プロファイル）を生成する。つまり、画像処理装置２００は、基準更新間隔の詳細プロファイルと、表示装置に設定される更新間隔ごとの簡易プロファイル（補正情報）を記憶しておき、取得された更新間隔に応じて、当該更新間隔に応じた生成プロファイルを生成する。
【０１７２】
このようにすることで、詳細プロファイルがない更新間隔で映像を再生する場合においても、当該更新間隔に対応した色補正処理を行うことができる。また、表示装置に設定されうるすべての更新間隔に対応する詳細プロファイル記憶しておく場合に比べて、データ量を低減することができる。
【０１７３】
尚、本実施形態では、上記のような簡易プロファイル（補正情報）によって詳細プロファイルを変換する例について説明した。しかし、簡易プロファイルの代わりに、基準更新間隔の詳細プロファイルに応じて色補正処理して得られた映像信号を変換するための補正情報、例えば、３×３マトリックスなどを記憶していても良い。つまり、プロファイル決定部２０２は、表示装置に設定される更新間隔ごとに、色補正処理後の映像信号を変換するための補正情報を記憶し、取得された更新間隔に応じて、映像信号を変換するために用いる補正情報を決定する構成であっても良い。この場合、色補正処理部２０３は、入力映像信号を取得された更新間隔に応じて変換し、変換された映像信号を基準更新間隔の詳細プロファイルを用いて色補正処理を実行する。そして、色補正処理部２０３は、色補正処理後の映像信号を、プロファイル決定部２０２によって選択された補正情報を用いて、取得された更新間隔に応じた出力映像信号に変換する。つまり、Ｓ６０１で、間隔取得部２０１は、更新間隔を取得する。そして、Ｓ６０２で、プロファイル決定部２０２は、取得された更新間隔に応じて、色補正処理後の映像信号を変換するために用いる補正情報を決定する。また、プロファイル決定部２０２は、Ｓ６０２で、基準更新間隔の詳細プロファイルを読み出す。そして、プロファイル決定部２０２は、色補正処理部２０３に、補正情報と詳細プロファイルを通知する。
【０１７４】
そして、Ｓ６０３で、色補正処理部２０３は、取得された更新間隔に応じて入力映像信号を変換し、変換された映像信号に対して基準更新間隔の詳細プロファイルを用いて色補正処理を実行する。さらに、Ｓ６０３で、色補正処理部２０３は、色補正処理後の映像信号を、通知された補正情報を用いて変換する。
【０１７５】
そして、色補正処理部２０３は、Ｓ６０４で、色補正処理後の映像信号を出力映像信号として表示装置に出力する、という構成であっても良い。
【０１７６】
即ち、プロファイル生成部２０４は、入力映像信号に応じた基準更新間隔（第２の時間間隔）と異なる更新間隔（第１の時間間隔）で表示画面を更新する表示装置で第１の表示映像を表示する場合、色補正処理後の映像信号を補正情報に基づいて変換する。ここで、色補正処理は、基準更新間隔（第２の時間間隔）の詳細プロファイルを用いて行われる。また、補正情報に基づく映像信号の変換は、第１の表示映像と第２の表示映像との差分が、第３の表示映像と第２の表示映像との差分よりも小さくなるように変換する。ここで、本形態の第１の表示映像は、以下のような表示映像である。すなわち、取得された更新間隔（第１の時間間隔）で映像を表示するために入力映像信号が変換される。そして、変換によって得られた映像信号に対して基準更新間隔の詳細プロファイルで色補正処理され、さらに補正情報により変換された映像信号を、取得された更新間隔で表示画面を更新する表示装置で表示される表示映像である。また、第２の表示映像は、基準更新間隔（第２の時間間隔）で映像を表示するための映像信号に対して基準更新間隔に応じた詳細プロファイルで色補正処理され、基準更新間隔で表示画面を更新する表示装置で表示する場合の表示映像である。また、第３の表示映像は、取得された更新間隔（第１の時間間隔）で映像を表示するために変換された映像信号に対して基準更新間隔（第２の時間間隔）の詳細プロファイルで色補正処理され、第１の時間間隔で表示画面を更新して表示する場合の表示映像である。尚、第２の表示映像、及び第３の表示映像は、基準更新間隔の詳細プロファイルによる色補正処理後の映像信号を変換せずに出力される出力映像信号によって表示される場合の表示映像である。また、第１の表示映像、及び第３の表示映像は、基準更新間隔（第２の時間間隔）で映像を表示させるための入力映像信号を、取得された更新間隔（第１の時間間隔）で映像を表示させるための映像信号に変換し、色補正処理を行って表示される映像である。
【０１７７】
即ち、プロファイル決定部２０２は、上記の条件を満たすように、基準更新間隔に対応する詳細プロファイルで色補正処理した映像信号を変換するための、例えば３×３マトリックスを、更新間隔ごとに記憶していても良い。
【０１７８】
この補正情報は、入力映像信号に応じた基準更新間隔で再生される表示映像と、別の更新間隔で再生される表示映像との輝度、色の違いを、予め測定しておくことによって生成することができる。すなわち、まず、基準更新間隔（例えば１０ｍｓｅｃ）で再生されたときの表示映像と、他の更新間隔（例えば５ｍｓｅｃ）で再生されたときの表示映像を比較する。そして、他の更新間隔で再生されたときの表示映像の色や輝度と、基準更新間隔で再生されたときの表示映像の色や輝度との差異が小さくなるように、色補正処理された映像信号を変換するための補正情報を作成する。すなわち、プロファイル決定部２０２は、上記のようにしてあらかじめ生成された、複数の更新間隔のそれぞれにおける補正情報を記憶させるようにしても良い。ただし、画像処理装置２００は、上記のような補正情報を、他の装置から読み込むことによって、記憶していても良い。
【０１７９】
また、この補正情報は、色補正処理前の映像信号を変換するための補正情報であっても良い。つまり、色補正処理部２０３は、プロファイル決定部２０２によって選択された補正情報を用いて色補正処理前の映像信号を変換し、変換された映像信号に対し、基準更新間隔の詳細プロファイルで色補正処理を行うようにしても良い。
【０１８０】
つまり、Ｓ６０１で、間隔取得部２０１は、更新間隔を取得する。そして、Ｓ６０２で、プロファイル決定部２０２は、取得された更新間隔に応じて、色補正処理前の映像信号を変換するために用いる補正情報を決定する。また、プロファイル決定部２０２は、Ｓ６０２で、基準更新間隔の詳細プロファイルを読み出す。そして、プロファイル決定部２０２は、補正情報と基準更新間隔の詳細プロファイルを色補正処理部２０３に通知する。そして、Ｓ６０３で、色補正処理部２０３は、入力映像信号を、取得された更新間隔に応じた映像信号に変換する。また、Ｓ６０３で、色補正処理部２０３は、通知された補正情報を用いて、色補正処理前の映像信号を変換する。さらに、色補正処理部２０３は、Ｓ６０４で、変換された映像信号を、基準間隔の詳細プロファイルで色補正処理し、出力映像信号を表示装置に出力する、という構成であっても良い。
【０１８１】
即ち、Ｓ６０３で、色補正処理部２０３は、基準更新間隔（第２の時間間隔）とは異なる更新間隔（第１の時間間隔）で表示画面を更新する表示装置で第１の表示映像を表示する場合に、入力映像信号を第１の時間間隔に応じて変換する。そして、色補正処理部２０３は、色補正処理前の映像信号を補正情報に基づいて変換する。さらに、色補正処理部２０３は、補正情報による変換後の映像信号を、基準更新間隔（第２の時間間隔）の詳細プロファイルを用いて色補正処理する。尚、補正情報に基づく映像信号の変換は、第１の表示映像と第２の表示映像との差分が、第３の表示映像と第２の表示映像との差分よりも小さくなるように変換する。ここで、本形態の第１の表示映像は、以下のような表示映像である。すなわち、取得された更新間隔（第１の時間間隔）で映像を表示するために入力映像信号が変換される。そして、変換によって得られた映像信号が補正情報によって変換され、さらに基準更新間隔の詳細プロファイルで色補正処理された映像信号を、取得された更新間隔で表示画面を更新する表示装置で表示される表示映像である。
【０１８２】
第１の表示映像は、取得された更新間隔（第１の時間間隔）で映像を表示するために変換された映像信号に対して生成プロファイルで色補正処理され、取得された更新間隔で表示画面を更新する表示装置で表示される表示映像である。また、第２の表示映像は、基準更新間隔（第２の時間間隔）で映像を表示するための映像信号に対して基準更新間隔に応じた詳細プロファイルで色補正処理され、基準更新間隔で表示画面を更新する表示装置で表示する場合の表示映像である。また、第３の表示映像は、取得された更新間隔（第１の時間間隔）で映像を表示するために変換された映像信号に対して基準更新間隔（第２の時間間隔）の詳細プロファイルで色補正処理され、第１の時間間隔で表示画面を更新して表示する場合の表示映像である。
【０１８３】
尚、第２の表示映像、及び第３の表示映像は、色補正処理前の映像信号を、補正情報による変換をすることなく色補正処理され、表示される場合の表示映像である。また、第１の表示映像、及び第３の表示映像は、基準更新間隔（第２の時間間隔）で映像を表示させるための入力映像信号を、取得された更新間隔（第１の時間間隔）で映像を表示させるための映像信号に変換し、色補正処理を行って表示される映像である。
【０１８４】
即ち、プロファイル決定部２０２は、上記の条件を満たすように、映像信号を変換するための、例えば３×３マトリックスを、補正情報として更新間隔ごとに記憶していても良い。
【０１８５】
この補正情報は、基準更新間隔で再生される表示映像と、別の更新間隔で再生される表示映像との輝度、色の違いを、予め測定しておくことによって生成することができる。すなわち、まず、入力映像信号に応じた基準更新間隔（例えば１０ｍｓｅｃ）で再生されたときの表示映像と、他の更新間隔（例えば５ｍｓｅｃ）で再生されたときの表示映像を比較する。そして、他の更新間隔で再生されたときの表示映像の色や輝度と、基準更新間隔で再生されたときの表示映像の色や輝度との差異が小さくなるように、色補正処理前の映像信号を変換するための補正情報を作成する。すなわち、プロファイル決定部２０２は、上記のようにしてあらかじめ生成された、更新間隔のそれぞれにおける補正情報を記憶させるようにしても良い。ただし、画像処理装置２００は、上記のような補正情報を、他の装置から読み込むことによって、記憶していても良い。
【０１８６】
このようにしても、表示画面を更新する時間間隔の違いによる、表示映像の違いを低減することができる。
【０１８７】
また、本実施形態では、取得された更新間隔に応じて、基準更新間隔に応じた詳細プロファイル、色補正前の映像信号、或いは色補正処理後の映像信号を変換する例について説明したが、上述のように、垂直同期周波数を取得する構成としても良い。すなわち、プロファイル決定部２０２は、間隔取得部２０１が取得した垂直同期周波数に応じて、詳細プロファイル、色補正処理前の映像信号、或いは色補正処理後の映像信号を変換しても良い。この場合、プロファイル決定部２０２では、垂直同期周波数に応じた、複数の簡易プロファイル（補正情報）を記憶している。
【０１８８】
また、上記の説明では、ＲＧＢ信号値とＸＹＺ刺激値の例について説明したが、これに限らず、例えば、ＣＭＹＫ値や、Ｌａｂ値などを利用する場合であっても、本発明は実施可能である。
【０１８９】
また、上記の説明では、色と輝度について、表示装置に設定される垂直同期周波数（表示画面の更新間隔）による違いを低減させる例について説明した。しかし、色、或いは輝度のどちらか一方について、垂直同期周波数（表示画面の更新間隔）による違いを低減させるようにすることもできる。
【０１９０】
また、本発明の目的は、次の形態によっても達成される。即ち、前述した実施形態の機能を実現するソフトウエアのプログラムコードを記録した記録媒体を、システムあるいは装置に供給する。そして、そのシステムあるいは装置のコンピュータ（またはＣＰＵまたはＭＰＵ）が記録媒体に格納されたプログラムコードを読み出し実行する形態である。この場合、記憶媒体から読み出されたプログラムコード自体が前述した実施形態の機能を実現することとなり、そのプログラムコードを記憶した記憶媒体は本発明を構成することになる。
【０１９１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【０１９２】
また、本発明は、コンピュータが読み出したプログラムコードを実行することにより、前述した実施例の機能が実現される形態には限られない。すなわち、そのプログラムコードの指示に基づき、コンピュータ上で稼動しているＯｐｅｒａｔｉｎｇ  Ｓｙｓｔｅｍ（ＯＳ）などが実際の処理の一部または全部を行い、その処理によって前述した実施例の機能が実現される場合も含まれる。
【０１９３】
さらに、本発明には、以下の形態も含まれる。すなわち、記憶媒体から読み出されたプログラムコードが、コンピュータに挿入された機能拡張ボードやコンピュータに接続された機能拡張ユニットに備わるメモリに書きこまれる。その後、そのプログラムコードの指示に基づき、その機能拡張ボードや機能拡張ユニットに備わるＣＰＵなどが実際の処理の一部または全部を行い、その処理によって前述した実施形態の機能が実現される形態である。
【図面の簡単な説明】
【０１９４】
【図１】実施形態１の表示装置１００のブロック図
【図２】表示装置１００の処理を示すフローチャート図
【図３】表示画面のあるアドレスにおける駆動電圧の時間変化図
【図４】実施形態１における色補正処理を示すフローチャート図
【図５】実施形態２の表示装置２００のブロック図
【図６】表示装置２００の処理を示すフローチャート図
【図７】実施形態２の詳細プロファイルに含まれる３次元テーブルの例
【図８】実施形態２のプロファイル生成のフローチャート図
【図９】表示装置の垂直同期周波数と輝度の変化図
【図１０】表示装置の垂直同期周波数とａｂ平面図
【図１】
2010020079.tif 000017
【図２】
2010020079.tif 000018
【図３】
2010020079.tif 000019
【図４】
2010020079.tif 000020
【図５】
2010020079.tif 000021
【図６】
2010020079.tif 000022
【図７】
2010020079.tif 000023
【図８】
2010020079.tif 000024
【図９】
2010020079.tif 000025
【図１０】
2010020079.tif 000026